(57)【要約】【課題】１８０°反対側の二方向の照明を一つの光源で選択的に行わせ、また、光源を配置するハウジングと保護用のケースとのガタつきを抑止する。【解決手段】光源７を幅方向中央に内蔵する透光性のハウジング３と、ハウジングを収容するケース４とを備え、ハウジングが対角線方向に二つの係止部１６，１７を有し、ケースが、光源の発光面７ａに対向する第一の光透過窓２８と、第一の光透過窓とは反対側に位置する第二の光透過窓３８と、第一の光透過窓側において二つの係止部に対応する二つの第一の係合部２９，３０と、第二の光透過窓側において対角線とは交差する対角線方向の二つの第二の係合部３４，３５とを有する構成の照明ユニット構造１を採用する。【選択図】図１
2012178294.tif 000002
【特許請求の範囲】
【請求項１】
光源を幅方向中央に内蔵する透光性のハウジングと、該ハウジングを収容するケースとを備え、該ハウジングが対角線方向に二つの係止部を有し、該ケースが、該光源の発光面に対向する第一の光透過窓と、該第一の光透過窓とは反対側に位置する第二の光透過窓と、該第一の光透過窓側において該二つの係止部に対応する二つの第一の係合部と、該第二の光透過窓側において該対角線とは交差する対角線方向の二つの第二の係合部とを有することを特徴とする照明ユニット構造。
【請求項２】
前記係止部と前記第一及び第二の係合部との何れか一方がテーパ状に形成されたことを特徴とする請求項１記載の照明ユニット構造。
【請求項３】
前記係止部と前記係合部との接触が、交差する二方向の外側面同士又は内側面同士で行われることを特徴とする請求項２記載の照明ユニット構造。
【請求項４】
前記光源への給電用の電線に対する導出部を有して前記ハウジングの開口に装着されるホルダと、該ホルダに装着されて該ハウジングの内面に密着する防水パッキンとを備えることを特徴とする請求項１〜３の何れかに記載の照明ユニット構造。
【発明の詳細な説明】
【技術分野】
【０００１】
本発明は、光源を有する回路基板を収容したハウジングをケース内に装着する照明ユニット構造に関するものである。
【背景技術】
【０００２】
従来の照明ユニット構造として、例えば特許文献１には、自動車のドアのアウトサイドハンドルの上下を間接照明するべく、湾曲状の凹部反射面に対してプリズムの前側を不透過部材で覆って後側のＬＥＤ（光源）からの光をプリズムのカットで上下に分散させることが記載されている。
【０００３】
また、照明ユニット構造ではないが、特許文献２には、ロックコネクタ構造として、一方のコネクタハウジングの上側にロックアームを設け、他方のコネクタハウジングの上側にロック突起を設け、ロックアームの垂直な後側の係止面にロック突起の垂直な前側の係止面を当接可能とし、両コネクタハウジング間に防水パッキンを配設し、一方のコネクタハウジングの後部に電線を挿通させる防水用のマットシールとシールホルダを配置したことが記載されている。
【先行技術文献】
【特許文献】
【０００４】
【特許文献１】特開２００３−１１３６８０号公報（図２）
【特許文献２】特開２００６−２１６４３４号公報（図１〜図３）
【発明の概要】
【発明が解決しようとする課題】
【０００５】
しかしながら、上記従来の照明ユニット構造にあっては、ＬＥＤの光で上下両方を照明するために、上下何れか一方のみを選択的に照明することはできなかった。
【０００６】
また、上記従来のロックコネクタ構造にあっては、ロックアームとロック突起が上側のみに配置され、且つコネクタハウジング内の端子の配置や接続も規定されているため、他方のコネクタハウジングに対して一方のコネクタハウジングを上下反転して嵌合させることは不可能であった。
【０００７】
また、ロックアームの垂直な係止面とロック突起の垂直な係止面とを当接させてロック状態を得る構造であるために、両係止面の間に隙間を生じて両コネクタハウジング間の前後方向のガタつきを生じてしまう懸念があった。
【０００８】
本発明は、上記した点に鑑み、上下方向といった１８０°反対側の二方向の照明を一つの光源で選択的に行うことができ、また、光源を配置するハウジングと保護用のケースとのガタつきを抑止することができ、加えて、ハウジング内の防水性を確保することのできる照明ユニット構造を提供することを目的とする。
【課題を解決するための手段】
【０００９】
上記目的を達成するために、本発明の請求項１に係る照明ユニット構造は、光源を幅方向中央に内蔵する透光性のハウジングと、該ハウジングを収容するケースとを備え、該ハウジングが対角線方向に二つの係止部を有し、該ケースが、該光源の発光面に対向する第一の光透過窓と、該第一の光透過窓とは反対側に位置する第二の光透過窓と、該第一の光透過窓側において該二つの係止部に対応する二つの第一の係合部と、該第二の光透過窓側において該対角線とは交差する対角線方向の二つの第二の係合部とを有することを特徴とする。
【００１０】
上記構成により、ハウジングがケースに収容され、ハウジングの二つの係止部がケースの二つの第一の係合部に係合し、光源の光が第一の光透過窓から外部に照射される。ハウジングを上下又は左右反転させてケースに収容した場合は、光源も一体的に反転し、ハウジングの二つの係止部がケースの二つの第二の係合部に係合し、光源の光が第二の光透過窓から外部に照射される。このように、一つの光源で光の照射方向が選択的に変更可能となる。また、二つの係止部と二つの係合部は対角線方向すなわち例えば前後左右の二次元方向にずれて（偏心して）配置されたから、ケースに対するハウジングの例えば前後左右の二方向のガタつきが均一に且つ効率良く抑止（低減）される。
【００１１】
請求項２に係る照明ユニット構造は、請求項１記載の照明ユニット構造において、前記係止部と前記第一及び第二の係合部との何れか一方がテーパ状に形成されたことを特徴とする。
【００１２】
上記構成により、例えば係止部の傾斜面（テーパ面）の高さ方向中間部が前記第一又は第二の係合部の垂直面の基端に接触（当接）することで、係止部と係合部との接触隙間がなくなり、ケースとハウジングのガタつきが確実に抑止されると共に、係止部が係止部軸線方向に押圧されてケース内でハウジングが例えば上下方向（三次元方向）に押し付けられてガタ防止される。
【００１３】
請求項３に係る照明ユニット構造は、請求項２記載の照明ユニット構造において、前記係止部と前記係合部との接触が、交差する二方向の外側面同士又は内側面同士で行われることを特徴とする。
【００１４】
上記構成により、例えば前側且つ右側の係止部の前面が前側且つ右側の係合部の前面に接触し、同じく係止部の右面が同じく係合部の右面に接触し、後側且つ左側の係止部の後面が後側且つ左側の係合部の後面に接触し、同じく係止部の左面が同じく係合部の左面に接触して、すなわち交差する二方向の外側面同士が接触して、あるいは、前側且つ右側の係止部の後面と左面が前側且つ右側の係合部の後面と左面に接触し、後側且つ左側の係止部の前面と右面が後側且つ左側の係合部の前面と右面に接触し、すなわち交差する二方向の内側面同士が接触して、ケースとハウジングの前後方向及び左右方向のガタつきが防止される。
【００１５】
請求項４に係る照明ユニット構造は、請求項１〜３の何れかに記載の照明ユニット構造において、前記光源への給電用の電線に対する導出部を有して前記ハウジングの開口に装着されるホルダと、該ホルダに装着されて該ハウジングの内面に密着する防水パッキンとを備えることを特徴とする。
【００１６】
上記構成により、ホルダと防水パッキンでハウジングの開口が封止されてハウジング内への水等の侵入が防止される。ホルダは光源ユニット（光源と基板で成る）を抜け止めするものであることが好ましい。
【発明の効果】
【００１７】
請求項１記載の発明によれば、例えば上下方向といった１８０°反対側の二方向の照明を一つの光源で選択的に行うことができ、共用化によって照明ユニット構造のコストを低減させることができる。また、対角線方向の各二つの係止部及び係合部でハウジングとケースの例えば前後左右方向といった二方向のガタつきを効率良く抑止することができる。
【００１８】
請求項２記載の発明によれば、係止部と係合部とのテーパ接触作用で、係止部と係合部との接触隙間をなくしてハウジングとケースの例えば前後左右の二方向のガタつきを確実に抑止することができると共に、上下方向のガタつきをも抑止することができる。
【００１９】
請求項３記載の発明によれば、係止部と係合部との二方向の同時ロック作用で、ハウジングとケースの例えば前後左右方向のガタつきを一層確実に抑止することができる。
【００２０】
請求項４記載の発明によれば、ハウジング内を防水して光源を水等から安全に保護することができる。
【図面の簡単な説明】
【００２１】
【図１】本発明に係る照明ユニット構造の一実施形態を示す分解斜視図である。
【図２】ケースの裏側の壁部を示す図１のＡ−Ａ線断面図（略平面図）である。
【図３】ケースとハウジングの嵌合状態を示す図１のＢ−Ｂ線断面図である。
【図４】同じく嵌合状態を示す図１のＣ−Ｃ線断面図である。
【発明を実施するための形態】
【００２２】
図１〜図４は、本発明に係る照明ユニット構造の一実施形態を示すものである。
【００２３】
図１の如く、この照明ユニット構造１は、基板組立体２を水平に収容した透明な（透光性の）合成樹脂製のハウジング３と、ハウジング３を覆って（収容して）外部との干渉等から保護する不透明な（不透光性の）合成樹脂製ないし金属製のケース４とを備えるものである。
【００２４】
基板組立体２は、合成樹脂製の絶縁基板５と、絶縁基板５の上面において幅方向中央に配設された前後二つのＬＥＤ（発光ダイオードないし光源）６，７と、各ＬＥＤ６，７に接続された絶縁基板表面ないし裏面の不図示の各回路と、各回路に接続された電線（リード線）８とを備えるものである。
【００２５】
前側のＬＥＤ６は垂直な前向きの発光面６ａを有して絶縁基板５の前端側に配置され、後側のＬＥＤ７は水平な上向きの発光面７ａを有して絶縁基板５の前半に配置されている。両ＬＥＤ６，７は絶縁基板５の幅方向中央の前後方向の仮想中心線上に配置されている。基板組立体２はＬＥＤユニットと称してもよい。
【００２６】
ハウジング３は、垂直な前壁９と左右の側壁１０，１１と、水平な上壁１２及び下壁１３と、後部開口（開口）１４とを有して矩形箱状に形成されている。ハウジング３の内側において左右の壁部１０，１１の内面に上下各一対の水平なガイドリブ１５が突設され、上下のガイドリブ１５の間に基板ガイド溝１５ａが形成されている。基板ガイド溝１５ａに沿って後部開口１４から基板組立体２が前向きにスライド式に装着される。
【００２７】
本例の基板ガイド溝１５ａはハウジング３の高さ方向中間位置よりも少し下側に配置され、前側のＬＥＤ６の発光面６ａがハウジング３の前壁９の上下左右方向の中央（前壁９の仮想中心点）に位置するようになっている。なお、前側のＬＥＤ６を絶縁基板５の前端面に配置した場合は、基板ガイド溝１５ａすなわち絶縁基板５をハウジング３の高さ方向中央に配置する。
【００２８】
この照明ユニット構造１は、一例として電気自動車の充電コネクタインレット（給電口）内を照明するためのものであり、前側のＬＥＤ６は充電インジケータ用、後側のＬＥＤ７は充電口照明用のもので、特に後側のＬＥＤ７の照射方向は、ケース４へのハウジング３の反転セットで上下何れかを選択可能である。
【００２９】
ハウジング３の上壁１２には前側且つ右側と後側且つ左側とにそれぞれ一つずつ計二つのロック用の係止突起（係止部）１６，１７が配設されている。二つの係止突起１６，１７は上壁１２の仮想中心点に対して対角線上に点対称に配置されている（対角線方向に並列に配置されている）。本例の各係止突起１６，１７は前後左右の傾斜面１６ａ〜１６ｄ，１７ａ〜１７ｄと上側の水平な頂面とを有して縦断面台形状に形成されている。
【００３０】
本例のハウジング３は防水性を必要とするために後部開口１４に矩形環状の防水パッキン１８付きの合成樹脂製のホルダ１９を嵌合させている。防水パッキン１８の内周面がホルダ１９の外面に密着し、防水パッキン１８の外周面がハウジング３の内周面に密着し、電線８はホルダ１９の円孔（導出部）１９ａに挿通密着されている（不図示の防水ゴム栓を電線８に外挿してホルダ１９の円孔１９ａに挿入密着させることも可能である）。ホルダ１９はハウジング３に不図示の係止手段又はホルダ押さえ等で固定される。
【００３１】
ハウジング３のガイドリブ１５と絶縁基板５との後端はホルダ１９のほぼ厚み寸法だけハウジング３の後端から前方に位置し、ハウジング３の後部にホルダ収容空間が形成される。絶縁基板５の後端がホルダ１９の前端に当接することで、基板組立体２の後抜けが阻止される。
【００３２】
絶縁基板５の前端がハウジング３の前壁９に当接し、且つ絶縁基板５の後端がホルダ１９の前端に当接して、基板組立体２が前後方向に位置規定される。絶縁基板５の左右側部の上下面が上下のガイドリブ１５の内面に当接して、基板組立体２が上下方向に位置規定され、絶縁基板５の左右の側端面がガイド溝１５ａの底面すなわちハウジング３の左右の壁部１０，１１の内面に当接して、基板組立体２が左右方向に位置規定される。
【００３３】
なお、ホルダ１９や防水パッキン１８の大きさ形状は必要に応じて適宜設定される。また、例えばハウジング３の外壁（上下の壁部１２，１３の幅方向ないし左右の壁部１０，１１の高さ方向中央）の後端部に不図示の鍔状のブラケットが一体に設けられて電気自動車の給電口内にねじ締め固定される。
【００３４】
ケース４は、ハウジング３よりも一回り大きな矩形箱状に形成され、垂直な前壁２０及び左右の側壁２１，２２と、水平な上壁２３と下壁２４（図２）と、ハウジング挿入用の後部開口２５とを有している。なお、明細書で前後上下左右の方向性は説明の便宜上のものであり、必ずしも電気自動車への照明ユニット構造（照明ユニットと称してもよい）１の取付方向と一致するとは限らない。
【００３５】
ケース４の前壁２０の上下左右方向の中央に前側の光透過窓２６が設けられ、前側の光透過窓２６の後側に基板組立体２側の前側のＬＥＤ６の発光面６ａが対向して位置する。前壁２０の一側部には例えばケース４の上下を示す刻印ないし印字２７が施されている。
【００３６】
ケース４の上壁２３の前半の幅方向中央に上側（第一）の光透過窓２８が設けられ、上側の光透過窓２８の下側に基板組立体２の後側のＬＥＤ７の発光面７ａが対向して位置する。前壁２０の中央の光透過窓２６は後述のハウジング３の反転使用時に共通使用される。
【００３７】
上壁２３の前側且つ右側と後側且つ左側とに一つずつロック用の矩形状の第一の係合孔（係合部）２９，３０が設けられ、両係合孔２９，３０は上壁２３の仮想中心点に対して対角線上に点対称に配置されている。各係合孔２９，３０は前後左右の垂直な内面２９ａ〜２９ｄ，３０ａ〜３０ｄを有している。
【００３８】
各係合孔２９，３０はそれぞれ可撓性の板片（アーム）３１，３２に設けられ、各板片３１，３２はそれぞれ左右一対の長短のスリット３３で上壁２３から切欠分離され、各板片３１，３２の先端（自由端）はケース４の後端に位置している。前側且つ右側の係合孔２９にハウジング３の上壁１２の前側且つ右側の係止突起１６が係合し、後側且つ左側の係合孔３０にハウジング３の後側且つ左側の係止突起１７が係合する。
【００３９】
前側且つ右側の係合孔２９の前面２９ａと右面２９ｂとが外側面で、後面２９ｃと左面２９ｄとが内側面であり、後側且つ左側の係合孔３０の後面３０ｃと左面３０ｄとが外側面で、前面３０ａと右面３０ｂとが内側面である。
【００４０】
二つの係止突起１６，１７及び係合孔２９，３０をそれぞれ対角線上に配置したことで、各係止突起１６，１７と係合孔２９，３０との前後左右方向のガタつきが均一に抑止され、ケース４に対するハウジング３の前後左右方向のガタつきが良好に抑止される。
【００４１】
図２に図１の矢視Ａ横断面図（ケース４の下壁２４を上方から見た図）を示す如く、ケース４の下壁２４には、上壁２３（図１）におけるとは左右対称に二つの第二の係合孔（係合部）３４，３５及び可撓性の板片３６，３７が設けられると共に、上壁２３の第一の光透過窓２８の下側に対向して下壁２４の前半の幅方向中央に下側（第二）の光透過窓３８が設けられている。
【００４２】
第二の各係合孔３４，３５すなわち左側且つ前側の係合孔３４と右側且つ後側の係合孔３４とは矢印Ｄの如く下壁２４の仮想中心点Ｏに対して対角線上（対角線方向）に点対称に配置され、一方の係合孔３４は長い板片３６に設けられ、他方の係合孔３５は短い板片３７に設けられ、各板片３６，３７の先端（自由端）は下壁２４の後端に位置している。仮想中心点Ｏはケース４の（下壁２４の）幅Ｗの１／２及び長さＬの１／２の位置にある（上壁２３における仮想中心点も同様である）。各板片３６，３７は左右一対のスリット３３で下壁２４から切欠分離されている。
【００４３】
各係合孔３４，３５は前後左右の垂直な内面３４ａ〜３４ｄ，３５ａ〜３５ｄを有している。前側且つ左側の係合孔３４の前面３４ａと左面３４ｄとが外側面で、右面３４ｂと後面３４ｃとが内側面であり、後側且つ右側の係合孔３５の後面３５ｃと右面３５ｂとが外側面で、前面３５ａと左面３５ｄとが内側面である。
【００４４】
図１において、基板組立体２とハウジング３とでハウジング組立体すなわち照明ユニット主体部３９が構成される。ハウジング３の下壁１３にはロック手段である係止突起１６，１７は設けられていない。照明ユニット主体部３９すなわち基板組立体２を収容したハウジング３が係止突起１６，１７を上側に位置させた状態（後側のＬＥＤ７の発光面７ａを上向きに位置させた状態）でケース４に後方から挿入される。各係止突起１６，１７は各板片３１，３２を外側すなわち上向きに撓ませつつケース４内に挿入され、各係止突起１６，１７が各係合孔２９，３０に係合を開始すると同時に各板片３１，３２が弾性的に復元する。
【００４５】
図３に図１の矢視Ｂ−Ｂ相当断面図を示す如く、照明ユニット構造１の組立状態で、ハウジング３の上壁１２の前側の係止突起１６の前側（外側）の傾斜面１６ａがケース４の上壁２３の前側（外側）の係合孔２９の前側（外側）の垂直な内面２９ａの下端に当接（接触）し、後側の係止突起１７の後側（外側）の傾斜面１７ｃが後側の係合孔３０の後側（外側）の垂直な内面３０ｃの下端に当接（接触）する。これにより、ケース４に対するハウジング３の前後方向（矢印Ｅ方向）のガタつきが防止される。
【００４６】
また、図４に図１の矢視Ｃ−Ｃ相当断面図を示す如く、照明ユニット構造１の組立状態で、ハウジング３の上壁１２の右側の係止突起１６の右側（外側）の傾斜面１６ｂがケース４の上壁２３の右側の係合孔２９の右側（外側）の垂直な内面２９ｂの下端に当接（接触）し、左側の係止突起１７の左側（外側）の傾斜面１７ｄが左側の係合孔３０の左側（外側）の垂直な内面３０ｄの下端に当接（接触）する。これにより、ケース４に対するハウジング３の左右方向（矢印Ｆ方向）のガタつきが防止される。
【００４７】
なお、ここで右側の係止突起１６や係合孔２９とは前側の係止突起１６や係合孔２９のことであり、左側の係止突起１７や係合孔３０とは後側の係止突起１７や係合孔３０のことである。各係止突起１６，１７は前後左右の傾斜面１６ａ〜１６ｄ，１７ａ〜１７ｄのうちの隣接する二つの傾斜面１６ａ，１６ｂ，１７ｃ，１７ｄを各係合孔２９，３０の前後左右の内面２９ａ〜２９ｄ，３０ａ〜３０ｄのうちの隣接する二つの係止面２９ａ，２９ｂ，３０ｃ，３０ｄの下端に同時に当接させる。
【００４８】
なお、図３において、二つの係止突起１６，１７の前後方向の間隔（ピッチ）を縮小して、前側の係止突起１６の後側（内側）の傾斜面１６ｃを前側の係合孔２９の後側（内側）の内面２９ｃの下端に当接させ、後側の係止突起１７の前側（内側）の傾斜面１７ａを後側の係合孔３０の前側（内側）の内面３０ａの下端に当接させることも可能であり、これにより、ケース４に対するハウジング３の前後方向（矢印Ｅ方向）のガタつきが防止される。
【００４９】
それと同時に、二つの係止突起１６，１７の左右方向の間隔（ピッチ）を縮小して、図４において、右側の係止突起２９の左側（内側）の傾斜面１６ｄを右側の係合孔２９の左側（内側）の内面２９ｄの下端に当接させ、左側の係止突起１７の右側（内側）の傾斜面１７ｂを左側の係合孔３０の右側（内側）の内面３０ｂの下端に当接させることも可能であり、これにより、ケース４に対するハウジング３の左右方向（矢印Ｆ方向）のガタつきが防止される。
【００５０】
図３，図４の如く、各係止突起１６，１７の傾斜面１６ａ〜１６ｄ，１７ａ〜１７ｄの高さ方向中間部が各係合孔２９，３０の下端に当接することで、ケース４に対してハウジング３が押し下げられ、ハウジング３の下壁１３の外面がケース４の下壁２４の内面に当接して、ケース４に対するハウジング３の上下方向のガタつきが防止される。
【００５１】
ハウジング３の上壁１２の外面とケース４の上壁２３の内面との間には隙間４０が形成される。ハウジング３は下壁１３と各係止突起１６，１７の傾斜面とでケース４に当接支持される。図３のハウジング３の前壁９とケース４の前壁２０との間には若干の隙間４１が形成され、図４のハウジング３の左右の壁部１０，１１とケース４の左右の壁部２１，２２との間には若干の隙間４２が形成される。
【００５２】
図３の例では、電線８を基板組立体２の下面の回路に接続して基板組立体２の下面に沿って配索し、基板組立体２の後端おいて屈曲させてホルダ１９の水平な円孔１９ａに導出させているが、電線８の接続や配索形態やホルダ１９の円孔１９ａに位置は必要に応じて適宜設定可能である。
【００５３】
図１及び図３，図４においては、基板組立体２の後側のＬＥＤ７の光を上向きに照射させたが、後側のＬＥＤ７の光を下向きに照射させる場合は、図１において、ハウジング組立体３９を上下反転させた状態でケース４に挿入する。この場合は、図２のケース４の下壁２４の各係合孔３４，３５にハウジング３の下側の（上壁２３は反転して下壁となる）各係止突起１６，１７が係合する。図３，図４においてケース４の下壁２３の係合孔３４，３５にハウジング３の上側の係止突起１６，１７が下側に反転して係合する。
【００５４】
下側の各係合孔３４，３５への各係止突起１６，１７の係合状態は、図３，図４の上側の係止突起１６，１７と上側の係合孔２９，３０の係合状態におけると同様に、図３において、下側且つ前側の係止突起１６の前側（外側）の傾斜面１６ａが下側且つ前側の係合孔３４の前側（外側）の垂直な内面３４ａに当接し、下側且つ後側の係止突起１７の後側（外側）の傾斜面１７ｃが下側且つ後側の係合孔３５の後側（外側）の垂直な内面３５ｃに当接して、ケース４に対するハウジング３の前後方向（矢印Ｅ方向）のガタつきが防止される。
【００５５】
それと同時に、図４において、下側且つ左側の係止突起１６の左側（外側）の傾斜面１６ｂが下側且つ左側の係合孔３４の左側（外側）の垂直な内面３４ｄに当接し、下側且つ右側の係止突起１７の右側（外側）の傾斜面１７ｄが下側且つ右側の係合孔３５の右側（外側）の垂直な内面３５ｄに当接して、ケース４に対するハウジング３の左右方向（矢印Ｆ方向）のガタつきが防止される。ここで、左右の係止突起１６，１７は前後の係止突起１６，１７のことである。図４の上側且つ右側の係止突起１６は反転して下側且つ左側の係止突起１６となり、図４の上側且つ左側の係止突起１７は反転して下側且つ右側の係止突起１７となる。
【００５６】
なお、図３において、下側且つ前側の係止突起１６の後側（内側）の傾斜面１６ｃを下側且つ前側の係合孔３４の後側（内側）の内面３４ｃに当接させ、下側且つ後側の係止突起１７の前側（内側）の傾斜面１７ａを下側且つ後側の係合孔３５の前側（内側）の内面３５ａに当接させ、同時に図４において、下側且つ左側の係止突起１６の右側（内側）の傾斜面１６ｄを下側且つ左側の係合孔３４の右側（内側）の内面３４ｄに当接させ、下側且つ右側の係止突起１７の左側（内側）の傾斜面１７ｂを下側且つ右側の係合孔３５の左側（内側）の内面３５ｄに当接させることも可能である。
【００５７】
下側の係止突起１６，１７の各傾斜面は高さ方向中間部で下側の係合孔３４，３５の内面の上端に当接し、これによりハウジング３が押し上げられて、ハウジング３の係止突起のない上壁（図３，図４の下壁１３が反転して上壁となる）がケース４の上壁２３に当接し、ハウジング３の係止突起１６，１７のある下壁１２とケース４の下壁２４との間に隙間を生じる。図３のハウジング３の前壁９とケース４の前壁２０との間の隙間４１や、図４のハウジング３の左右の壁部１０，１１とケース４の左右の壁部２１，２２との間の隙間４２は上記同様に存在する。
【００５８】
なお、上記実施形態においては、光源としてＬＥＤ６，７を用いたが、ＬＥＤに代えてバルブランプ等を用いることも可能である。また、断面台形状の係止突起１６，１７に代えて断面円錐状や半球状等の係止突起を用いることも可能である。この場合も係止突起の直交する二方向の隣接する曲面を係合孔２９，３０，３４，３５の直交する二方向の内面に当接させてガタ防止する。円柱状の係止突起でもよいが、その場合は図３，図４の係止突起１６，１７によるハウジング３の押し下げ作用は生じない。
【００５９】
また、上記実施形態においては、ハウジング３内に基板組立体２をスライド式に装着（セット）したが、例えばハウジング３の壁部に基板組立体２をねじ締め等で装着固定させることも可能である。また、上記実施形態においては、防水パッキン１８をホルダ１９に装着して防水構造を構成したが、例えば防水の必要のない部位に使用する場合は、防水パッキン１８は不要であり、基板組立体２をハウジング３に係止やねじ締め等の固定手段で固定させる場合はホルダ１９も排除可能である。
【００６０】
また、上記実施形態においては、ハウジング３に係止突起１６，１７を設け、ケース４に係合孔２９，３０，３４，３５を設けたが、これとは逆に、ハウジング３に貫通していない有底の係合孔を設け、ケース４に係止突起を設けることも可能である。この場合、係止突起は可撓性の板片３１，３２，３６，３７の下面に設けることが好ましい。
【００６１】
また、上記実施形態においては、係止突起１６，１７をテーパ状に形成したが、係止突起１６，１７に代えて係合孔２９，３０，３４，３５をテーパ状に形成することも可能である。この場合の係合孔の傾斜面は例えば図１の上側の係合孔２９，３０において上側の係止突起１６，１７の傾斜面と同様の傾斜方向と傾斜角度を有し、係止突起は例えば矩形柱状で垂直な外面すなわち係止面を有する。また、係止突起１６，１７の傾斜面又は係合孔の傾斜面は直交方向の隣接する二面に少なくとも形成されればよく（使用しない二面は垂直面でもよい）、その状態でもテーパ状と表現する。
【００６２】
また、上記実施形態においては、可撓性の板片（アーム）３１，３２，３６，３７に係合孔２９，３０，３４，３５を設けたが、合成樹脂製のケース４の上壁２３や下壁２４を薄板状に形成して可撓性を付与すれば、ケース４の壁部２３，２４に直接、係合孔２９，３０，３４，３５を設けることも可能である。
【００６３】
また、上記実施形態においては、前側のＬＥＤ６をハウジング３の反転時にケース４の前壁２０の中央の光透過窓２６において共通で使用したが、例えば図１において基板組立体２をハウジング３の高さ方向中央に配置した場合は、ハウジング３の上下反転時に前側のＬＥＤ６が上下に偏心するので、その偏心位置に合わせてケース４の前壁２０の光透過窓２６を二つ設けておくことも可能である。また、上記照明ユニット構造１の適用箇所によっては、前側のＬＥＤ６や光透過窓２６を排除することもあり得る。
【００６４】
また、上記実施形態の照明ユニット構造１は、電気自動車の充電コネクタの給電口の照明用として以外に、例えば、国内向けと外国向けの自動車の室内ないし室外における照明装置として、選択的に左右反転して使用（汎用）するために利用することができる。
【産業上の利用可能性】
【００６５】
本発明に係る照明ユニット構造は、例えば電気自動車の充電コネクタの給電口等を照明する際に、上下方向といった１８０°反対側の二方向の照明を一つの光源で選択的に行い、また、光源を配置するハウジングと保護用のケースとのガタつきを防止し、加えて、ハウジング内の防水性を確保するために利用することができる。
【符号の説明】
【００６６】
１                              照明ユニット構造
３                              ハウジング
４                              ケース
７                              ＬＥＤ（光源）
７ａ                            発光面
８                              電線
１４                            後部開口（開口）
１６，１７                      係止突起（係止部）
１６ａ，１６ｂ，１７ｃ，１７ｄ  外側面
１６ｃ，１６ｄ，１７ａ，１７ｂ  内側面
１８                            防水パッキン
１９                            ホルダ
１９ａ                          円孔（導出部）
２８                            第一の光透過窓
２９，３０                      第一の係合孔（係合部）
２９ａ，２９ｂ，３０ｃ，３０ｄ  外側面
２９ｃ，１９ｄ，３０ａ，３０ｂ  内側面
３４，３５                      第二の係合孔（係合部）
３８                            第二の光透過窓
【図１】
2012178294.tif 000003
【図２】
2012178294.tif 000004
【図３】
2012178294.tif 000005
【図４】
2012178294.tif 000006